(57)【要約】      （修正有）【課題】  構築・段取り・材料の入手等に手間を要さず、また地震等の災害時において、耐久性、耐震性等が図れる、上面開放部を備えた外郭体からなる簡易型堆肥発酵装置を提供する。【解決手段】  外郭体を各Ｌ字形コンクリートブロック１及び／又は各コーナー形コンクリートブロック２で構築し、床面を現場打ちコンクリートで構築してなる簡易型堆肥発酵装置の構築方法であって、簡易型堆肥発酵室の外郭体に各アーチ形の帯状屋根構成材６を順次葺上げて屋根Ｇを構築し、この各アーチ形の帯状屋根構成材６を順次固定する簡易型堆肥発酵装置の構築方法である。【選択図】図６
2006161504.tif 000002
【特許請求の範囲】
【請求項１】
簡易型堆肥発酵装置の左右側壁及び／又は奥行面壁を数個のＬ字形コンクリートブロックで構築するとともに、この左右側壁及び奥行面壁との隅壁を数個のコーナー形コンクリートブロックで構築して堆肥発酵室の外郭体を構成し、この堆肥発酵室の床面を現場打ちコンクリートで構築して簡易型堆肥発酵装置の骨格を構築する簡易型堆肥発酵装置の構築方法であって、
前記堆肥発酵室の外郭体を構成する少なくとも左右側壁に跨る複数枚のアーチ形の帯状屋根構成材を順次葺上げてこの簡易型堆肥発酵装置の屋根を構築し、当該少なくとも左右側壁と前記複数枚のアーチ形の帯状屋根構成材を順次固定することを特徴とした簡易型堆肥発酵装置の構築方法。
【請求項２】
請求項１に記載の左右側壁に跨る複数枚のアーチ形の帯状屋根構成材を順次葺上げるに際し、この複数枚のアーチ形の帯状屋根構成材を、前記左右側壁の溝に嵌入するとともに、この嵌入時に、この複数枚のアーチ形の帯状屋根構成材の両端部を折曲げ方向に圧縮して順次葺上げることを特徴とした簡易型堆肥発酵装置の構築方法。
【請求項３】
請求項１に記載の左右側壁に跨る複数枚のアーチ形の帯状屋根構成材を順次葺上げるに際し、この複数枚のアーチ形の帯状屋根構成材の両端部を、前記左右側壁の溝に嵌入するとともに、この嵌入後に、この複数枚のアーチ形の帯状屋根構成材の両端部を順次固定して葺上げることを特徴とした簡易型堆肥発酵装置の構築方法。
【請求項４】
請求項１に記載した簡易型堆肥発酵装置の構築方法を利用する簡易型堆肥発酵装置であって、
この簡易型堆肥発酵装置の左右側壁及び／又は奥行面壁を数個のＬ字形コンクリートブロックで構築し、この左右側壁及び奥行面壁との隅壁を数個のコーナー形コンクリートブロックで構築して堆肥発酵室の外郭体を構成し、
この堆肥発酵室の床面を現場打ちコンクリートで構築し、
前記堆肥発酵室の外郭体を構成する少なくとも左右側壁に跨る複数枚のアーチ形の帯状屋根構成材の両端部を順次葺上げるとともに、この複数枚のアーチ形の帯状屋根構成材の折曲げ方向の両側部を順次積層して葺上げ、前記簡易型堆肥発酵装置の屋根を構築し、
前記少なくとも左右側壁と前記複数枚のアーチ形の帯状屋根構成材の両端部を順次固定する構成とした簡易型堆肥発酵装置。
【請求項５】
請求項４に記載の複数枚のアーチ形の帯状屋根構成材の折曲げ方向の両側部を順次積層に際し、山形状の凹部又は凸部を一条又は数条積層することを特徴とした簡易型堆肥発酵装置。
【請求項６】
請求項４に記載の複数枚のアーチ形の帯状屋根構成材の折曲げ形状は、堆肥物の醗酵促進を図るに適する構成とした簡易型堆肥発酵装置。
【請求項７】
請求項４に記載の左右側壁、区画壁及び奥行面壁を数個のＬ字形コンクリートブロックで構築するとともに、この左右側壁、区画壁及び奥行面壁との各隅壁を数個のコーナー形コンクリートブロックで構築して複数の堆肥発酵室の外郭体を構成し、この各外郭体の内面底部に底板をそれぞれ設け、この底面に通風用の配管を設けるとともに、この配管をブロアに連設し、このブロアのモータの回転数を制御する制御装置を前記堆肥発酵室に設け適する構成とした簡易型堆肥発酵装置。
【請求項８】
請求項４に記載のＬ字形コンクリートブロックは、その立上壁に薄肉部を設けるとともに、その底部に極薄肉部を設ける構成とした簡易型堆肥発酵装置。
【発明の詳細な説明】
【技術分野】
【０００１】
本発明は、簡易型堆肥発酵装置の構築方法と、この簡易型堆肥発酵装置に関する。
【背景技術】
【０００２】
従来、この種の簡易型堆肥発酵装置等にも関しては、本出願人が提案する特開平８−２４５２８５号の「簡易型堆肥発酵装置、及び同装置に使用するＬ字形コンクリートブロック」がある(文献(１)とする)。この発明は、従来の壁パネル等を利用して構築する簡易型堆肥発酵装置であり、左右側壁及び奥行面壁を数個のＬ字形コンクリートブロックと、隅壁を数個のコーナー形コンクリートブロックとで発酵室の外郭体を構成し、この外郭体の内面底部に底板を設け、前記発酵室の外郭体の上面開放部に備えた屋根枠にビニールフィルム等の膜体を張装した構成とし、構造の簡便化、軽量化又はパイプ施工の容易化等を意図する。またこの文献(１)は、従来の壁パネル等を利用して構築することの課題である耐久性、耐震性等において十分でないことに鑑み、耐久性、耐震性等において優れ、かつ地震等の災害時にも有益である簡易型堆肥発酵装置の提供を意図する。
【０００３】
また建物における外郭体と、アーチ形の帯状屋根構成材とに関しては、下記の実開平４−１０６２６号の「サンドーム等屋根窓装置における屋根下枠の取付装置」がある(文献(２)とする)。この考案は、建物構造体に屋根の骨格を形成する略中空角筒状の下枠本体を取付けるに際し、建物構造体に設けたＬ字形の取付金具及び緊締具を利用して取付け、強固で水密構造の屋根を構築することを意図する。また特開２００１−３２５６６の「タンクの屋根構造体」がある(文献(３)とする)。この発明は、内部に貯蔵空間Ｓを有するタンク本体部の頂部に架設されるタンク１の屋根構造体６において、屋根構造体６を、タンク本体部の側壁より張り出した周辺屋根部に、金属製の屋根骨組と屋根面材とでなる屋根本体部を設け、この周辺屋根部と屋根本体部とを連結部で接合する構成とし、屋根本体部の軽量化、耐腐食性の向上と、形状を自由に選択できる融通性、屋根本体部全体を吊り上げて取り外すことのできる自在性とを備えたことを特徴とする。また特開平９−２９６５４３号の「組立ハウス用フレームと組立ハウスタンクの屋根構造体」がある(文献(４)とする)。この発明は、アンカー部、基礎ブロック部、土台部、又は柱部、壁部等で構成した組立ハウス用フレームにキャッピングレール部を設け、このキャッピングレール部を介して連設されたドーム型屋根から構成されている組立ハウスであり、従来の組立ハウスにおける不等沈下を回避し、殊に冬期間における凍上の組立ての困難性、又は組立は専門の技術者でなければ施工できないなどの問題を解消することを意図する。
【０００４】
【特許文献１】特開平８−２４５２８５号
【特許文献２】実開平４−１０６２６号
【特許文献３】特開２００１−３２５６６
【特許文献４】特開平９−２９６５４３号
【発明の開示】
【発明が解決しようとする課題】
【０００５】
前記文献(１)は、前述の如く、構造の簡便化、軽量化又はパイプ施工の容易化等が図れ、しかも従来の壁パネル等を利用して構築することの課題、即ち、耐久性、耐震性等において優れ、かつ地震等の災害時にも有益である簡易型堆肥発酵装置の提供できる。しかし、この文献(１)では、屋根を発酵室の外郭体の上面開放部に備えた屋根枠にビニールフィルム等の膜体を張装して構成することから、構築・段取り・材料の入手等に手間を要すること、また地震等の災害時において、更なる耐久性、耐震性等が図れる簡易型堆肥発酵装置とするには、幾分改良の余地が考えられること等の問題点を抱えている。
【０００６】
次に文献(２)〜文献(４)の発明においても、その概要は、屋根の構造は、アーチ形屋根枠(アーチ形上枠、アーチ形フレーム)に、屋根被覆材となるガラス板（ビニールフィルム等の膜体）を張装した構成であることから、前述の文献(１)と同じような問題点を抱えている。またアーチ形屋根枠と、屋根被覆材等を、個別に構築・段取り・入手等にする必要があり、手間を要し、改良の余地を抱えている。またこの文献(２)〜文献(４)の構造において、地震等の災害時における耐久性、耐震性等を考慮した場合には、必ずしも十分でなく幾分改良の余地が考えられること等の問題点を抱えている。
【課題を解決するための手段】
【０００７】
請求項１の発明は、簡易型堆肥発酵装置を、Ｌ字形コンクリートブロック等のコンクリートブロックで構成する堆肥発酵室の外郭体と、現場打ちコンクリートの床面とでその骨格(枠体)を構築し、この簡易型堆肥発酵装置の骨格に、複数枚のアーチ形の帯状屋根構成材を順次葺上げてこの簡易型堆肥発酵装置の屋根を構築する構築方法を提供し、構築・段取り・材料の入手等の手間・経験を要することなく現場において規格化された簡易型堆肥発酵装置を構築すること、またこの構築方法の提供で、地震等の災害時において、耐久性、耐震性等が図れる簡易型堆肥発酵装置の構築方法を提供すること等を意図する。
【０００８】
請求項１は、簡易型堆肥発酵装置の左右側壁及び／又は奥行面壁を数個のＬ字形コンクリートブロックで構築するとともに、この左右側壁及び奥行面壁との隅壁を数個のコーナー形コンクリートブロックで構築して堆肥発酵室の外郭体を構成し、この堆肥発酵室の床面を現場打ちコンクリートで構築して簡易型堆肥発酵装置の骨格を構築する簡易型堆肥発酵装置の構築方法であって、
前記堆肥発酵室の外郭体を構成する少なくとも左右側壁に跨る複数枚のアーチ形の帯状屋根構成材を順次葺上げてこの簡易型堆肥発酵装置の屋根を構築し、当該少なくとも左右側壁と前記複数枚のアーチ形の帯状屋根構成材を順次固定することを特徴とした簡易型堆肥発酵装置の構築方法である。
【０００９】
請求項２の発明は、請求項１の目的を達成すること、この目的を達成するのに最適な複数枚のアーチ形の帯状屋根構成材を順次葺上げる簡易型堆肥発酵装置の構築方法を提供することを意図する。
【００１０】
請求項２は、請求項１に記載の左右側壁に跨る複数枚のアーチ形の帯状屋根構成材を順次葺上げるに際し、この複数枚のアーチ形の帯状屋根構成材を、前記左右側壁の溝に嵌入するとともに、この嵌入時に、この複数枚のアーチ形の帯状屋根構成材の両端部を折曲げ方向に圧縮して順次葺上げることを特徴とした簡易型堆肥発酵装置の構築方法である。
【００１１】
請求項３の発明は、請求項１の目的を達成すること、この目的を達成するのに最適な複数枚のアーチ形の帯状屋根構成材を順次葺上げる簡易型堆肥発酵装置の構築方法を提供することを意図する。
【００１２】
請求項３は、請求項１に記載の左右側壁に跨る複数枚のアーチ形の帯状屋根構成材を順次葺上げるに際し、この複数枚のアーチ形の帯状屋根構成材の両端部を、前記左右側壁の溝に嵌入するとともに、この嵌入後に、この複数枚のアーチ形の帯状屋根構成材の両端部を順次固定して葺上げることを特徴とした簡易型堆肥発酵装置の構築方法である。
【００１３】
請求項４の発明は、簡易型堆肥発酵装置を構築するに際し、Ｌ字形コンクリートブロック等のコンクリートブロックで構成する堆肥発酵室の外郭体と、現場打ちコンクリートの床面とで当該簡易型堆肥発酵装置の骨格(枠体)を構築し、この骨格に複数枚のアーチ形の帯状屋根構成材を順次葺上げて当該簡易型堆肥発酵装置の屋根を構築し、この簡易型堆肥発酵装置を現場において完成すること、又は構築・段取り・材料の入手等に経験を要することなく簡易型堆肥発酵装置を構築すること等を意図する。また請求項４の発明は、地震等の災害時において、耐久性、耐震性等が図れ、かつ現場において規格化された構造の簡易型堆肥発酵装置を提供することを意図する。
【００１４】
請求項４は、請求項１に記載した簡易型堆肥発酵装置の構築方法を利用する簡易型堆肥発酵装置であって、
この簡易型堆肥発酵装置の左右側壁及び／又は奥行面壁を数個のＬ字形コンクリートブロックで構築し、この左右側壁及び奥行面壁との隅壁を数個のコーナー形コンクリートブロックで構築して堆肥発酵室の外郭体を構成し、
この堆肥発酵室の床面を現場打ちコンクリートで構築し、
前記堆肥発酵室の外郭体を構成する少なくとも左右側壁に跨る複数枚のアーチ形の帯状屋根構成材の両端部を順次葺上げるとともに、この複数枚のアーチ形の帯状屋根構成材の折曲げ方向の両側部を順次積層して葺上げ、前記簡易型堆肥発酵装置の屋根を構築し、
前記少なくとも左右側壁と前記複数枚のアーチ形の帯状屋根構成材の両端部を順次固定する構成とした簡易型堆肥発酵装置である。
【００１５】
請求項５の発明は、請求項４の目的を達成すること、この目的を達成するのに最適な複数枚のアーチ形の帯状屋根構成材を順次葺上げて構築する簡易型堆肥発酵装置の屋根を提供することを意図する。
【００１６】
請求項５は、請求項４に記載の複数枚のアーチ形の帯状屋根構成材の折曲げ方向の両側部を順次積層に際し、山形状の凹部又は凸部を一条又は数条積層することを特徴とした簡易型堆肥発酵装置である。
【００１７】
請求項６の発明は、請求項４の目的を達成すること、この目的を達成するのに最適な複数枚のアーチ形の帯状屋根構成材の形態を提供することを意図する。
【００１８】
請求項６は、請求項４に記載の複数枚のアーチ形の帯状屋根構成材の折曲げ形状は、堆肥物の醗酵促進を図るに適する構成とした簡易型堆肥発酵装置である。
【００１９】
請求項７の発明は、請求項４の目的を達成すること、この目的を達成するのに最適な発酵が図れる簡易型堆肥発酵装置を提供することを意図する。
【００２０】
請求項７は、請求項４に記載の左右側壁、区画壁及び奥行面壁を数個のＬ字形コンクリートブロックで構築するとともに、この左右側壁、区画壁及び奥行面壁との各隅壁を数個のコーナー形コンクリートブロックで構築して複数の堆肥発酵室の外郭体を構成し、この各外郭体の内面底部に底板をそれぞれ設け、この底面に通風用の配管を設けるとともに、この配管をブロアに連設し、このブロアのモータの回転数を制御する制御装置を前記堆肥発酵室に設ける構成とした簡易型堆肥発酵装置である。
【００２１】
請求項８の発明は、請求項４の目的を達成すること、この目的を達成するのに最適なＬ字形コンクリートブロックを提供することを意図する。
【００２２】
請求項８は、請求項４に記載のＬ字形コンクリートブロックは、その立上壁に薄肉部を設けるとともに、その底部に極薄肉部を設ける構成とした簡易型堆肥発酵装置である。
【発明の効果】
【００２３】
請求項１の発明は、簡易型堆肥発酵装置の左右側壁及び／又は奥行面壁を数個のＬ字形コンクリートブロックで構築するとともに、左右側壁及び奥行面壁との隅壁を数個のコーナー形コンクリートブロックで構築して堆肥発酵室の外郭体を構成し、堆肥発酵室の床面を現場打ちコンクリートで構築して簡易型堆肥発酵装置の骨格を構築する簡易型堆肥発酵装置の構築方法であって、
堆肥発酵室の外郭体を構成する少なくとも左右側壁に跨る複数枚のアーチ形の帯状屋根構成材を順次葺上げて簡易型堆肥発酵装置の屋根を構築し、少なくとも左右側壁と複数枚のアーチ形の帯状屋根構成材を順次固定する簡易型堆肥発酵装置の構築方法である。
【００２４】
従って、請求項１の発明は、簡易型堆肥発酵装置を、Ｌ字形コンクリートブロック等のコンクリートブロックで構成する堆肥発酵室の外郭体と、現場打ちコンクリートの床面とでその骨格(枠体)を構築し、この簡易型堆肥発酵装置の骨格に、複数枚のアーチ形の帯状屋根構成材を順次葺上げてこの簡易型堆肥発酵装置の屋根を構築する構築方法を提供できること、また構築・段取り・材料の入手等に経験を要することなく現場において規格化された簡易型堆肥発酵装置を構築できること、またこの構築方法の提供で、地震等の災害時において、耐久性、耐震性等が図れる簡易型堆肥発酵装置の構築方法を提供できること等の特徴がある。
【００２５】
請求項２の発明は、請求項１に記載の左右側壁に跨る複数枚のアーチ形の帯状屋根構成材を順次葺上げるに際し、複数枚のアーチ形の帯状屋根構成材を、左右側壁の溝に嵌入するとともに、嵌入時に、複数枚のアーチ形の帯状屋根構成材の両端部を折曲げ方向に圧縮して順次葺上げる簡易型堆肥発酵装置の構築方法である。
【００２６】
従って、請求項２は、請求項１の目的を達成できること、この目的を達成するのに最適な複数枚のアーチ形の帯状屋根構成材を順次葺上げる簡易型堆肥発酵装置の構築方法を提供できること等の特徴がある。
【００２７】
請求項３の発明は、請求項１に記載の左右側壁に跨る複数枚のアーチ形の帯状屋根構成材を順次葺上げるに際し、複数枚のアーチ形の帯状屋根構成材の両端部を、左右側壁の溝に嵌入するとともに、嵌入後に、複数枚のアーチ形の帯状屋根構成材の両端部を順次固定して葺上げる簡易型堆肥発酵装置の構築方法である。
【００２８】
従って、請求項３は、請求項１の目的を達成できること、この目的を達成するのに最適な複数枚のアーチ形の帯状屋根構成材を順次葺上げる簡易型堆肥発酵装置の構築方法を提供できること等の特徴がある。
【００２９】
請求項４の発明は、請求項１に記載した簡易型堆肥発酵装置の構築方法を利用する簡易型堆肥発酵装置であって、
この簡易型堆肥発酵装置の左右側壁及び／又は奥行面壁を数個のＬ字形コンクリートブロックで構築し、左右側壁及び奥行面壁との隅壁を数個のコーナー形コンクリートブロックで構築して堆肥発酵室の外郭体を構成し、
堆肥発酵室の床面を現場打ちコンクリートで構築し、
堆肥発酵室の外郭体を構成する少なくとも左右側壁に跨る複数枚のアーチ形の帯状屋根構成材の両端部を順次葺上げるとともに、複数枚のアーチ形の帯状屋根構成材の折曲げ方向の両側部を順次積層して葺上げ、簡易型堆肥発酵装置の屋根を構築し、
少なくとも左右側壁と複数枚のアーチ形の帯状屋根構成材の両端部を順次固定する簡易型堆肥発酵装置である。
【００３０】
従って請求項４は、簡易型堆肥発酵装置を、Ｌ字形コンクリートブロック等のコンクリートブロックで構成する堆肥発酵室の外郭体と、現場打ちコンクリートの床面とで当該簡易型堆肥発酵装置の骨格(枠体)を構築し、この骨格に複数枚のアーチ形の帯状屋根構成材を順次葺上げて当該簡易型堆肥発酵装置の屋根を構築し、この簡易型堆肥発酵装置を現場において完成すること、又は構築・段取り・材料の入手等に経験を要することなく簡易型堆肥発酵装置を構築すること等を意図する。また請求項４の発明は、地震等の災害時において、耐久性、耐震性等が図れ、かつ現場において規格化された構造の簡易型堆肥発酵装置を提供すること意図をする。
【００３１】
請求項５の発明は、請求項４に記載の複数枚のアーチ形の帯状屋根構成材の折曲げ方向の両側部を順次積層に際し、山形状の凹部又は凸部を一条又は数条積層することを特徴とした簡易型堆肥発酵装置である。
【００３２】
従って、請求項５は、請求項４の目的を達成できること、この目的を達成するのに最適な複数枚のアーチ形の帯状屋根構成材を順次葺上げて構築する簡易型堆肥発酵装置の屋根を提供できること等の特徴がある。
【００３３】
請求項６の発明は、請求項４に記載の複数枚のアーチ形の帯状屋根構成材の折曲げ形状は、堆肥物の醗酵促進を図るに適する簡易型堆肥発酵装置である。
【００３４】
従って、請求項６は、請求項４の目的を達成できること、この目的を達成するのに最適な複数枚のアーチ形の帯状屋根構成材の形態を提供できること等の特徴がある。
【００３５】
請求項７の発明は、請求項４に記載の左右側壁、区画壁及び奥行面壁を数個のＬ字形コンクリートブロックで構築するとともに、左右側壁、区画壁及び奥行面壁との各隅壁を数個のコーナー形コンクリートブロックで構築して複数の堆肥発酵室の外郭体を構成し、各外郭体の内面底部に底板をそれぞれ設け、底面に通風用の配管を設けるとともに、配管をブロアに連設し、このブロアのモータの回転数を制御する制御装置を堆肥発酵室に設ける簡易型堆肥発酵装置である。
【００３６】
従って、請求項７は、請求項４の目的を達成できること、この目的を達成するのに最適な発酵が図れる簡易型堆肥発酵装置を提供できること等の特徴がある。
【００３７】
請求項の発明８は、請求項４に記載のＬ字形コンクリートブロックは、立上壁に薄肉部を設けるとともに、底部に極薄肉部を設ける構成とした簡易型堆肥発酵装置である。
【００３８】
従って、請求項８は、請求項４の目的を達成できること、この目的を達成するのに最適なＬ字形コンクリートブロックを提供できること等の特徴がある。
【発明を実施するための最良の形態】
【００３９】
イ)  図１〜図６−１に示した基本的な簡易型堆肥発酵装置(発酵装置とする)の構築方法を説明すると、図１、図２に示した、必要とするＬ字形コンクリートブロック１及びコーナー形コンクリートブロック２を用意する。そして、発酵装置の施工箇所に、少なくとも砕石、コンクリート打ちをなし、場合により敷きモルタル等による基礎工事３をする。その後、図３−１〜図３−２に示した如く、敷きモルタルの上に、Ｌ字形コンクリートブロック１を連設して左右側壁Ａ、Ｂ及び奥行面壁Ｃを構築し、この左右側壁Ａ、Ｂ及び奥行面壁Ｃの隙間にコーナー形コンクリートブロック２を据付けて隅壁Ｄを構築する。これにより、例えば、図３−３に示す１室の堆肥発酵室４の外郭体Ｅを構築する。
そして、この外郭体Ｅの内面底部Ｅ１には、現場打ちコンクリートを介して底板５を形成することで、発酵装置の骨格Ｆを構築する。
その後、この骨格Ｆに屋根Ｇを構築するが、この屋根Ｇは複数枚のアーチ形の帯状屋根構成材６（折版ユニットによるシェル構造）で、現場の状況及び／又は使用態様に準じ、しかも当該現場において、その曲面・形状等の変更、規格寸法の確保、又は精度の確保を図りつつ、極めて簡易かつワンタッチで構成する。この帯状屋根構成材６は、図５に示す如く、凹凸形状を呈する凹部６００と凸部６０１とで構成し、帯状屋根構成材６の強度の向上、耐久性の向上、肉薄化、コストの低廉化等に寄与できる。また折曲げ方向６ａにおける凹部６００と凸部６０１との嵌合を利用し、連繋の強化、風雨の侵入防止、又は屋根Ｇの骨材としての役割等に寄与できる。そして、本発明では、折版ユニットによるシェル構造であるので、ユニット単位での交換・修理・増築（及び／又は各ブロック等）・作業及び／又はその段取り・適宜位置からの組付け（及び／又は各ブロック等他の構築も同じ）が図れる特徴と実益とがある。尚、この帯状屋根構成材６は一例であり、平坦形状、波形(トタン形状)、又は山形形状等の構成例もあり得る。
【００４０】
そして、この帯状屋根構成材６を骨格Ｆに構築し、屋根Ｇを構築する場合は、図１４〜図１９に示した一例の如く、この帯状屋根構成材６の端部６０２、６０２を、Ｌ字形コンクリートブロック１及び／又はコーナー形コンクリートブロック２の上に設け、屋根Ｇの一部を構築する。この構築した帯状屋根構成材６に、次に帯状屋根構成材６の折曲げ方向６ａを嵌合するとともに、この帯状屋根構成材６の端部６０２、６０２を、次のＬ字形コンクリートブロック１及び／又はコーナー形コンクリートブロック２の上に設ける。この構築作業を順次繰返して屋根Ｇ全体を構築する。その一例を図面に基づいて説明すると、図１４、図１５に示す如く、この帯状屋根構成材６の端部６０２、６０２を、このＬ字形コンクリートブロック１及び／又はコーナー形コンクリートブロック２の天板面又は内面（図示しない）等に設けた溝部１ａ・２ａに差込み設ける。そして、この差込む際に、帯状屋根構成材６の全体及び／又は端部６０２、６０２等の反揆力を利用して設け、止め具７で緊締することも可能である。また図１６、図１７−１、図１７−２に示す如く、Ｌ字形コンクリートブロック１及び／又はコーナー形コンクリートブロック２に設けた止め片８に、端部６０２、６０２等を添接し、止め具７で緊締する。さらに図１８、図１９の如く、端部６０２、６０２等をピン７００で緊締し、このピン７００をＬ字形コンクリートブロック１及び／又はコーナー形コンクリートブロック２、或いは止め片８に固止する。何れにしても簡易に組立て、分解できる構造を採用し、現場での作業の簡略化、構築の簡便化等を図る。
【００４１】
以上の作業により、堆肥発酵室４が形成されるので、この堆肥発酵室４には順次畜糞が収容される。また堆肥発酵作業に要する略全ての条件を具備できること、また所望する堆肥の生成に役立つこと等の特徴と利点とがある。
【００４２】
図中９は鉄筋を示す。尚、Ｌ字形コンクリートブロック１及び／又はコーナー形コンクリートブロック２に極薄肉部１ｂ・２ｂを設け、必要により破壊することで、このＬ字形コンクリートブロック１及び／又はコーナー形コンクリートブロック２に隙間を形成し、空気の流通と、堆肥発酵室４の視認又は堆肥発酵室４・堆肥の管理、軽量化等に役立てる。またＬ字形コンクリートブロック１相互間の連結部は、連結用金属片又は鉄筋、コンクリートの充填等の連結手段で連結し、耐震性の向上、フラット化、又は構築精度の向上、構築の簡略化等が図れる特徴がある。またＬ字形コンクリートブロック１及び／又はコーナー形コンクリートブロック２の連結部も前述の例に準ずる。
【００４３】
ロ)  図７、図８に示した一般的な発酵装置の構築方法を説明すると、この発酵装置では、前述のイ）の例に、好氣性微生物の働きを良くし、堆肥中に空気を効率的に送り、堆肥の温度の低下、嫌気性・悪臭発生の回避等を図る。この例では、底板５（必要によりＬ字形コンクリートブロック１及び／又はコーナー形コンクリートブロック２）に多数条設けた配管用の溝１０００に、通風として役立つ塩化ビニール製等でなる配管１０をそれぞれ配備する。そして、この配管１０を介して堆肥中の家畜等の蓄糞に、空気を送る。発酵装置を構築後、ブロア１１と、このブロア１１を制御する制御装置１２等を設置する。尚、この堆肥発酵室内に所定量の畜糞が収容されたときに、堆肥物中に温度センサを挿設し、この温度センサの検出値を基にして、ブロア１１の回転数、換言すれば配管１０からの供給空気の風量コントロールにより、発酵熱を常時適度の温度に維持管理し、好氣性微生物の働きを確保する。
【００４４】
ハ）  図９−１〜図１０は前述の図１〜図６−１に示した基本的な発酵装置を連設した一例を示す。その構築方法は、前述の例に準ずる。
【００４５】
ニ）  図１１は前述の図７、図８に示した一般的な発酵装置を連設した一例を示す。その構築方法は、前述の例に準ずる。
【図面の簡単な説明】
【００４６】
【図１】Ｌ字形コンクリートブロックの一例を示す斜視図
【図２】コーナー形コンクリートブロックの一例を示す斜視図
【図３−１】１室の堆肥発酵室を構成するＬ字形コンクリートブロックを配備し、一方側のコーナー形コンクリートブロックを配備した状態の俯瞰図
【図３−２】１室の堆肥発酵室を構成する複数のＬ字形コンクリートブロックを配備し、一方・他方側のコーナー形コンクリートブロックを配備した状態の俯瞰図
【図３−３】１室の堆肥発酵室を構成する複数のＬ字形コンクリートブロック及び／又は双方側のコーナー形コンクリートブロック等を配備した状態の俯瞰図
【図４】図３−３の要部の断面図
【図５】帯状屋根構成材の一例を示す斜視図
【図６】図３−３の骨格に屋根を構築する一部を示した俯瞰図
【図６−１】図６の完成状態を示した斜視図
【図７】他の１室の堆肥発酵室を構成する複数のＬ字形コンクリートブロック及び／又は双方側のコーナー形コンクリートブロック等を配備した状態の俯瞰図
【図８】図７に示した骨格に屋根を構築する一部を示した斜視図
【図９−１】２室の堆肥発酵室を構成するＬ字形コンクリートブロックを配備し、一方側のコーナー形コンクリートブロックを配備した状態の俯瞰図
【図９−２】２室の堆肥発酵室を構成する複数のＬ字形コンクリートブロックを配備し、一方・他方側のコーナー形コンクリートブロックを配備した状態の俯瞰図
【図９−３】２室の堆肥発酵室を構成する複数のＬ字形コンクリートブロック及び／又は双方側のコーナー形コンクリートブロック等を配備した状態の俯瞰図
【図１０】図９−３の骨格に屋根を構築する一部を示した斜視図
【図１１】他の２室の堆肥発酵室を構成する複数のＬ字形コンクリートブロック及び／又は双方側のコーナー形コンクリートブロック等を配備した状態の俯瞰図
【図１２】図１１に示した骨格に屋根を構築する一部を示した斜視図
【図１３】コーナー形コンクリートブロックを配備した状態の拡大俯瞰図
【図１４】Ｌ字形コンクリートブロック及び／又はコーナー形コンクリートブロック等に帯状屋根構成材を設けた緊締手段の一例を示す要部の拡大模式図
【図１５】図１４の完成状態を示す要部の拡大模式図
【図１６】Ｌ字形コンクリートブロック及び／又はコーナー形コンクリートブロック等に帯状屋根構成材を設けた他の緊締手段の一例を示す要部の拡大模式図
【図１７−１】図１６の完成状態を示す要部の拡大模式図
【図１７−２】図１６の完成状態を示す別の要部の拡大模式図
【図１８】Ｌ字形コンクリートブロック及び／又はコーナー形コンクリートブロック等に帯状屋根構成材を設けたさらに他の緊締手段の一例を示す要部の拡大模式図
【図１９】図１８の完成状態を示す要部の拡大模式図
【符号の説明】
【００４７】
１              Ｌ字形コンクリートブロック
１ａ            溝部
１ｂ            極薄肉部
２              コーナー形コンクリートブロック
２ａ            溝部
２ｂ            極薄肉部
３              基礎工事
４              堆肥発酵室
５              底板
６              帯状屋根構成材
６ａ            折曲げ方向
６００          凹部
６０１          凸部
６０２          端部
７              止め具
７００          ピン
８              止め片
９              鉄筋
１０            配管
１０００        溝
１１            ブロア
１２            制御装置
Ａ              左側壁
Ｂ              右側壁
Ｃ              奥行面壁
Ｄ              隅壁
Ｅ              外郭体
Ｅ１            内面底部
Ｆ              骨格
Ｇ              屋根
【図１】
2006161504.tif 000003
【図２】
2006161504.tif 000004
【図３−１】
2006161504.tif 000005
【図３−２】
2006161504.tif 000006
【図３−３】
2006161504.tif 000007
【図４】
2006161504.tif 000008
【図５】
2006161504.tif 000009
【図６】
2006161504.tif 000010
【図６−１】
2006161504.tif 000011
【図７】
2006161504.tif 000012
【図８】
2006161504.tif 000013
【図９−１】
2006161504.tif 000014
【図９−２】
2006161504.tif 000015
【図９−３】
2006161504.tif 000016
【図１０】
2006161504.tif 000017
【図１１】
2006161504.tif 000018
【図１２】
2006161504.tif 000019
【図１３】
2006161504.tif 000020
【図１４】
2006161504.tif 000021
【図１５】
2006161504.tif 000022
【図１６】
2006161504.tif 000023
【図１７−１】
2006161504.tif 000024
【図１７−２】
2006161504.tif 000025
【図１８】
2006161504.tif 000026
【図１９】
2006161504.tif 000027